(57)【要約】      （修正有）【課題】インターネット上のサーバーに保存された音楽情報等の提供を受けるためには、インターネットへ接続して視聴するまでに複数の作業が必要であることの煩わしさがあった。また、データを消失してしまう恐れや、自己が購入した情報がなりすましの被害に遭う可能性もあった。【解決手段】ボイスカード１は、書換え可能不揮発性メモリに、画像音声データがインターネットなどの不特定多数の者がアクセス可能なネットワークから独立した状態で保存されてなり、インターフェースを外部再生機器（スマートフォン１５、テレビ受像機１６）に電気的に接続させると、これに連続して前記外部再生機器に対して前記ネットワークを介さずに前記画像音声データの送信を完了して、外部再生機器によって画像音声データの再生が自動的にされる。【選択図】図４
2018128623.tif 000002
【特許請求の範囲】
【請求項１】
カード基板と、
前記カード基板に内蔵され、互いに信号の授受可能に電気的な接続がされてなるＣＰＵ、ＲＯＭ、ＲＡＭ、及び書換え可能不揮発性メモリによって構成されてなるチップ部と、
前記カード基板の外表面、若しくは前記カード基板の内部に設けられてなると共に前記チップ部と電気的な接続がされてなるインターフェースとを備え、
前記インターフェースは、前記チップ部が前記カード基板の外部とのデータ送受信を行う際に通信対象となる外部書込み機器及び外部再生機器との接続を可能に構成され、
前記書換え可能不揮発性メモリには、インターネットなどの不特定多数の者がアクセス可能なネットワークから独立した状態で画像音声データが保存されてなり、
前記画像音声データは、前記外部再生機器と前記インターフェースとの電気的な接続に連続して前記チップ部から前記外部再生機器に前記ネットワークを介さずに即座に送信が完了されると共に、前記画像音声データを受信した前記外部再生機器によって自動的に再生される
ことを特徴とするボイスカード。
【請求項２】
前記画像音声データは、前記インターフェースと前記外部再生機器とが数秒間の接続状態である間に前記外部再生機器への送信が完了される
ことを特徴とする請求項１に記載のボイスカード。
【請求項３】
前記カード基板の表面に、前記画像音声データに関連付けされた画像印刷が付されてなる
ことを特徴とする請求項１又は２に記載のボイスカード。
【請求項４】
前記カード基板が、インスタント写真機に収容可能であり、前記インスタント写真機によって撮影された撮像が表面に印刷される印画シートを構成してなる
ことを特徴とする請求項１又は２に記載のボイスカード。
【請求項５】
請求項１〜４のいずれかに係るボイスカードに設けられた前記インターフェースと前記外部再生機器とを電気的に接続することによって、前記画像音声データを前記外部再生機器から再生する
ことを特徴とする画像音声データ再生方法。
【請求項６】
請求項１〜４のいずれかに係るボイスカードと、
前記ボイスカードのチップ部から送信された前記画像音声データを前記外部再生機器によって再生する再生手段と、を備える
ことを特徴とする画像音声データ再生システム。
【請求項７】
前記チップ部に、前記インターフェースを介して接続された前記外部書込み機器によって前記画像音声データが書き込まれて保存される
ことを特徴とする請求項１〜４のいずれかに係るボイスカードの製造方法。
【発明の詳細な説明】
【技術分野】
【０００１】
本発明は、外部再生機器で再生できる画像音声データが保存されてなるボイスカード、当該ボイスカードの製造方法、画像音声データ再生システム、及び前記画像音声データの再生方法に関する。
【背景技術】
【０００２】
従来、グリーティングカード内に音声データ保存され、当該音声データがグリーティングカードから直接再生可能とする考案がなされていた。
【０００３】
一方、近年のインターネットの普及によりインターネット上に構築されたサーバーに利用者が購入した音楽情報等を利用者ごとに保存しておき、利用者が購入した音楽情報等を利用したいときにはインターネットしたパソコンや携帯型情報端末にダウンロード若しくはストリーミングで利用するサービスの提供がされている。
【先行技術文献】
【特許文献】
【０００４】
【特許文献１】公開実用新案昭６３−１２１５７１号公報
【特許文献２】特開２００２−３６６１６３号公報
【発明の概要】
【発明が解決しようとする課題】
【０００５】
しかし、従来のグリーティングカードではカードから直接音声データを再生させるために、内蔵されるスピーカの性能に制限があり、再生される音声の質が悪いという問題があった。
【０００６】
また、インターネット上のサーバーに保存された音楽情報等の提供を受けるためには、サーバーへの接続環境が必要であり、目的とする音楽情報等を利用する都度、インターネットへ接続して視聴するまでに複数の作業が必要であることの煩わしさがあった。また、インターネットに構築されたサーバーに対する悪意のある攻撃があった場合、サーバー中のデータを消失してしまう恐れがあるため、このような攻撃から防御するためにサーバーへのセキュリティ対策を講じる必要があり、その対策費用がサービスの提供をうけようとする利用者の利用コストを上昇させてしまうという問題があった。
【０００７】
その他、サーバー上で悪意のある者によるデータの改ざんや音声データのなりすましによって、サービスの提供を受けた利用者にとっても、入手したデータが本物かどうか不明となる疑義が生じることで価値のないデータに対価を払うといった不利益を被る恐れもある。自己が購入した情報がサーバーに蓄積された状態でのサービスを提供するにあたっては、このようななりすまし等に対する対策にもコストがかかる問題があった。
【課題を解決するための手段】
【０００８】
そこで、上記課題を解決する手段として本発明に係るボイスカードは、カード基板と、前記カード基板に内蔵され、互いに信号の授受可能に電気的な接続がされてなるＣＰＵ、ＲＯＭ、ＲＡＭ、及び書換え可能不揮発性メモリによって構成されてなるチップ部と、前記カード基板の外表面、若しくは前記カード基板の内部に設けられてなると共に前記チップ部と電気的な接続がされてなるインターフェースとを備え、前記インターフェースは、前記チップ部が前記カード基板の外部とのデータ送受信を行う際に通信対象となる外部書込み機器及び外部再生機器との接続を可能に構成され、前記書換え可能不揮発性メモリには、インターネットなどの不特定多数の者がアクセス可能なネットワークから独立した状態で画像音声データが保存されてなり、前記画像音声データは、前記外部再生機器と前記インターフェースとの電気的な接続に連続して前記チップ部から前記外部再生機器に前記ネットワークを介さずに即座に送信が完了されると共に、前記画像音声データを受信した前記外部再生機器によって自動的に再生されることを特徴とする。
【０００９】
カード基板は、剛性を備えた手の平に収まるサイズのカードであり、ＩＳＯ／ＩＥＣ  ７８１０：２００３  ＩＤ−１，又はＪＩＳ  Ｘ  ６３０１：２００５  ＩＤ−１規格に準じた大きさを有するものであることが好ましい。これにより、多数の本発明に係るボイスカードをコレクションしようとする場合に、既存のカードケースなどを利用して保管することが容易であるからである。なお、同様の理由からカード基板はいわゆるサイバネ規格に準じた大きさに形成されたものであっても好ましい。
【００１０】
また、カード基板は、樹脂、特にＰＶＣ（ポリ塩化ビニル）、ＡＢＳ（アクリロニトリルブタジエンスチレン樹脂）、若しくはＰＥＴ（ポリエチレンテレフタレート）を用いたものであることが好ましく、また、外表面において金属層で覆われてなる装飾が施されてなるものであっても好ましい。素材としてＰＶＣ，ＡＢＳ，若しくはＰＥＴを用いることで、カードを指先で扱う際に不意に折れ曲がりが生じない程度の剛性を保つことができ、また、耐摩耗性も期待できるからである。また、外表面を金属層で覆われてなる装飾を施すことでボイスカードの外観に高級感を与え、ユーザーに所有欲を与えることができる。さらに、カード基板が紙素材からなるものであっても好ましい。また、カード基板の表面には印刷が施されてもよく、当該印刷が、保存されている画像音声データを想起させるようなデザインを備え、ボイスカードへの所有欲を喚起できるものであればより好ましい。
【００１１】
また、前記カード基板が、インスタント写真機に収容可能であり、前記インスタント写真機によって撮影された撮像が表面に印刷される印画シートを構成してなるものであっても好ましい。インスタント写真機は、写真撮影を行った直後に、撮影した撮像を印画シートの表面に印刷でき、その後印刷された印画シートを写真機本体から取り出すことができるものをいう。印画シートへの印刷方法としては、従来の感光材料を用いた現像処理によるものでもよく、また、印画シートが樹脂製のカードである場合には昇華転写処理によるものであってもよい。カード基板が前記印画シートとして用られるものであれば、あらかじめチップ部にメッセージを画像音声データとして保存しておけば、その場で撮影された写真が表面に印刷されたボイスカードとして配布することができる。
【００１２】
ここで、ＣＰＵ（Ｃｅｎｔｒａｌ  Ｐｒｏｃｅｓｓｉｎｇ  Ｕｎｉｔ）は、中央演算処理装置をいい、チップ部と外部書込み機器及び外部再生機器との接続処理、データ送受信の処理等を制御する。ＲＯＭ（Ｒｅａｄ  Ｏｎｌｙ  Ｍｅｍｏｒｙ）は、読み出し専用メモリをいい、チップ部のデータ処理を行うためのＯＳ（Ｏｐｅｒａｔｉｎｇ  Ｓｙｓｔｅｍ）が記録されている。ＲＡＭ（Ｒａｎｄｏｍ  Ａｃｃｅｓｓ  Ｍｅｍｏｒｙ）は、書換え可能な揮発性メモリをいい、チップ部のデータ処理時にデータの一時的な保存に使用される。書換え可能不揮発性メモリとしては、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒy）、ＦＲＡＭ（Ｆｅｒｒｏｅｌｅｃｔｒｉｃ  ＲＡＭ）、若しくはＦｌａｓｈメモリであることが好ましい。
【００１３】
ここで、画像音声データとは、画像データ、若しくは音声データ、又は画像データ及び音声データのいずれかを指す。また、画像データは、静止画若しくは動画のいずれでもよく、また静止画と動画の両方を含むものであってもよい。
【００１４】
外部再生機器とは、スマートフォン、携帯型音楽再生機器、若しくは携帯型映像再生装置などを含む携帯型情報端末、テレビ、又はプロジェクター等の書換え可能不揮発性メモリに保存された画像音声データを受信して再生可能な機器であって、本発明に係るインターフェースと接続可能で、画像音声データを受信できる接続部を備えるものをいう。また外部再生機器には、ボイスカードから受信した画像音声カードを再生できるアプリケーションが搭載されてなる。
【００１５】
外部書込み機器とは、本発明に係るインターフェースと接続可能な接続部を備え、前記チップ部の前記書換え可能不揮発性メモリに画像音声データを書き込んで保存させることができる機器をいう。
【００１６】
インターフェースとは、接点端子若しくはアンテナコイルを指し、接点端子はカード基板の外表面とほぼ同一平面において外部に露出してなる平坦な金属製の端子部をいい、アンテナコイルは、カード基板内に内蔵された金属細線からなるコイル状のアンテナ構造をいう。また、インターフェースは接点端子及びアンテナコイルの両方が一のカード基板に設けられてなり、それぞれが外部書込み機器及び外部再生機器が備える接続部の使用に合わせて選択的に機能することによってチップ部のデータ送受信を実現できるものであっても好ましい。
【００１７】
外部再生機器及び外部書込み機器に設けられてなる接続部は、ボイスカードのインターフェースである接点端子と接続する場合には、カード基板の挿入スリットを備え、前記挿入スリット内に接点端子と直接的に接触可能な被接点端子を備える接触型リーダ若しくは接触型ライタであることが好ましい。また前記接続部は、ボイスカードのインターフェースであるアンテナコイルと接続する場合には、前記アンテナコイルに対して電磁誘導による電力を発生させることができる誘導コイル及びコントローラーを備えた非接触型リーダ若しくは非接触型ライタであることが好ましい。本発明において、外部再生機器及び外部書込み機器と、インターフェースとの電気的な接続とは、直接的に金属接点端子同士を接触さた状態のほか、電磁誘導等を利用してアンテナコイルとの間で変調波からなる信号を非接触的に授受することが可能な状態を含む。
【００１８】
前記画像音声データが即座に前記画像音声データの送信を完了されるとは、好ましくは、前記インターフェースと前記外部再生機器とが数秒間の接続状態である間に前記外部再生機器への送信が完了されることをいう。このように画像音声データの送信が短時間に完了できれば、ボイスカードを外部再生機器に接続させてから画像音声データの送信完了まで、利用者がボイスカードから手を離さずに待つことができる。そうすると、異なる画像音声データが保存されてなる複数枚のボイスカードを所有している利用者は、ボイスカードを外部再生機器に接続して画像音声データを送信させ、次のボイスカードに持ち替える前までの一連の動作を、そのボイスカードから手を離さずに行うことができる。これにより、前記一連の動作中にデータの受信によって外部再生機器から自動的に再生される画像音声データを視聴することができる。さらに、前記一連の動作に続いて次のボイスカードに持ち替えて、当該次のボイスカードを外部再生機器に接続し、画像音声データを送信させることで次の画像音声データの視聴を楽しむことができる。
【００１９】
そのため、本発明に係るボイスカードによれば、利用者が自己の嗜好に合った画像音声データが記録されているボイスカードを多数集めてコレクションし、これらを次々と視聴しながら楽しむといったコレクションアイテムとして提供することもできる。この際、ボイスカードの表面に記録されている画像音声データに関連付けされた画像印刷がされていることとしても好ましい。画像音声データと共に当該画像印刷を付すことによって、コレクションアイテムとしての希少価値性を相乗的に付加することも可能となるからである。
【００２０】
このように、次々とボイスカードを持ち替えて次の画像音声データの視聴を楽しむために、より好ましくは、前記書換え可能不揮発性メモリには、前記インターフェースと前記外部再生機器とが数秒間の接続状態である間に前記外部再生機器への送信が完了可能な記憶容量に収まる前記画像音声データが保存されてなる。
【００２１】
そのために、書換え可能不揮発性メモリに保存される画像音声データの容量は９ＫＢ（キロバイト）以内の容量であることが好ましい。９ＫＢ以内の音声データであれば、保存形式を選択すれば約４秒間の音声を録音しておくことができる。また、９ＫＢ以内の画像音声データであれば、数秒以内に外部再生機器へのデータの送信を完了させることができる。なお、今後の送信技術の進歩により、データの送信速度が向上すれば、本発明に係るボイスカードに保存できる画像音声データの容量もあわせて増加させることができる。このような容量で録音された音声であっても、例えば音楽イベントに出演したアーティストのメッセージを録音しておき、イベント参加者への限定配布物として本発明に係るボイスカードを配布することで、ボイスカードを、そのイベントに参加したことの特典とすることができる。
【００２２】
また、本発明によれば画像音声データは、外部書込み機器から不揮発性メモリに書き込まれた後、ボイスカード内においてインターネットなどの不特定多数の者がアクセス可能なネットワークからは独立した状態で保存されているため、いわゆるクラウド上のサーバに画像音声データが保存されている場合のようなサーバの故障などによって画像音声データを失う恐れがない。ボイスカードをイベント特典等として配布すれば、受け取った参加者は前記アーティスト等の特別なメッセージをカードとして収集できる。カードの所有者は、カードがあれば外部再生機器で画像音声データを再生できるので、カードの収集欲を喚起できる。また、画像音声データがネットワーク上にはなく、所有するカードにのみ保存されているので、カードの所有者の独占欲を満足させることもできる。
【００２３】
また、本発明に係る画像音声データ再生方法は、前記ボイスカードに設けられた前記インターフェースと前記外部再生機器とを電気的に接続することによって、前記画像音声データを前記外部再生機器から再生することを特徴とする。
【００２４】
さらに、本発明に係る画像音声データ再生システムは、前記ボイスカードと、
前記ボイスカードのチップ部から送信された前記画像音声データを前記外部再生機器によって再生する再生手段と、を備えることを特徴とする。
【００２５】
これによれば、ボイスカード内に保存された画像音声データは、前述のとおりネットワークに接続しなくてもボイスカード内のチップ部に記憶されたＯＳ及びアプリケーションによって外部再生機器に送信して再生できるため、わざわざネットワークへの接続作業をする必要がない。また、チップ部内で画像音声データを暗号処理しておき、外部再生機器に予め前記暗号処理された画像音声データを受信できるアプリケーションをダウンロードしておけば、ＩＤやパスワードの入力作業をしなくてもセキュリティを確保しつつ、ボイスカードを外部再生機器に接続させただけですぐに画像音声データを再生して視聴することができる。
【００２６】
特に、前記インターフェースが非接触型である場合にはボイスカードを外部再生機器にタッチさせるだけで画像音声データをすぐに視聴できる。また、前記インターフェースが接触型である場合であっても、例えば、外部再生機器が、カード基板の挿入スリットと、前記挿入スリット内に接点端子と直接的に接触可能な被接点端子を有する接触型リーダを備えていれば、前記挿入スリットにボイスカードを挿し込むだけですぐに画像音声データを再生して視聴できる。
【００２７】
また、本発明に係るボイスカードの製造方法は、前記チップ部に、前記インターフェースを介して接続された前記外部書込み機器によって前記画像音声データが書き込まれて保存されることを特徴とする。
【発明の効果】
【００２８】
本発明によれば、スマートフォンなどの外部再生機器にボイスカードを接続する以外の操作を要することなく、送信された画像音声データをすぐに再生して視聴することができる。
【００２９】
前記画像音声データが、前記インターフェースと前記外部再生機器とが数秒間の接続状態である間に前記外部再生機器への送信が完了されることにより、ボイスカードを外部再生機器に接続すれば、画像音声データをすぐに再生して視聴することができると共に、次々とボイスカードを持ち替えて次の画像音声データの視聴を楽しむことができる。
【００３０】
また、ボイスカードに保存された画像音声データはインターネット等のネットワークに接続するための環境に依存することなく、画像音声データを視聴することができる。
【００３１】
さらに、画像音声データをインターネット等のネットワークに依存せずに保存して所持しておくことができる。これにより、利用者が対価を支払った画像音声データを保管管理するためのサーバーが不要であり、また、サーバーに対するセキュリティ対策費用も不要であるため、安価にボイスカードを製造し、配布することができる。
【００３２】
多様な画像音声データが保存された本発明に係るボイスカードを、コレクションアイテムとして提供することができる。
【図面の簡単な説明】
【００３３】
【図１】アンテナコイル８ａを備えたボイスカード１のブロック図である。
【図２】ＲＯＭ５とＥＥＰＲＯＭ７に保存される情報の概略を示す図である。
【図３】ボイスカード１の製造工程とボイスカード１から画像再生データ９を再生する再生システムの機能の流れの概略を示すフロー図である。
【図４】ボイスカード１に外部書込み機器で画像音声データ９を書き込む様子と画像音声データ９が保存されたボイスカード１を外部再生機器で再生する様子を示す図であり、（ａ）は非接触型接続部１１を用いてカード基板２に画像音声データ９を書き込む様子を、（ｂ）はスマートフォン１５を用いて画像音声データ９を再生する様子を、（ｃ）はテレビ受像機１６を用いて画像音声データ９を再生する様子を示す。また、（ｄ）は接触型接続部１９を用いてカード基板２に画像音声データ９を書き込む様子を、（ｅ）はスリット型のカード差し込み口２１を有する接続部２２を備えた音声再生器２３を用いて画像音声データ９を再生する様子を示す。
【図５】非接触型のインターフェース８ａを介してボイスカード１から送信された画像音声データ９をスマートフォン１５から再生する様子を示す概略図である。
【図６】接触端子８ｂを備えたボイスカード１のブロック図である。
【図７】カード基板２が、インスタント写真機２６に用いられる印画紙として用いられるものからなるボイスカード１の使用状態を示す概略図（ａ）と、当該ボイスカード１を用いて画像音声データ９をスマートフォン１５から再生する様子を示す概略図である。
【発明を実施するための形態】
【００３４】
以下、本発明に係る実施の形態を、図を参照しながら詳しく説明する。なお、本明細書及び図面において、実質的に同一の機能構成を有する構成要素については、同一の符号を付することにより重複説明を省略する。
【００３５】
図１には非接触型のインターフェースを構成するアンテナコイル８ａを備えたボイスカード１のブロック図を示す。ボイスカード１は、カード基板２と、カード基板２に内蔵されてなるチップ部３、及びチップ部３と電気的な接続がされてなる非接触型のアンテナコイル８ａを備えてなる。チップ部３は、互いに信号の授受可能に電気的な接続がされてなるＣＰＵ４、ＲＯＭ５、ＲＡＭ６、及び書換え可能不揮発性メモリであるＥＥＰＲＯＭ７によって構成されてなる。
【００３６】
図２に示すように、ＲＯＭ５には、ＯＳが保存されており、ＥＥＰＲＯＭ７内の一部である処理機能格納部７ｂにはアプリケーションＰ１が保存されている。アプリケーションＰ１は、前記ＯＳに基づいて動作し、外部再生機器１５からの命令に従ってＥＥＰＲＯＭ７のデータ格納部７ａに保存された画像音声データ９を外部再生機器１５に送信する。本実施の形態において、外部再生機器１５は、電磁誘導等を利用してアンテナコイル８ａとの間で変調波からなる信号を非接触的に授受することが可能に構成されてなる。
【００３７】
このような構成により、ボイスカード１のアンテナコイル８ａを非接触型の接続部１４を備えた外部再生機器１５に近接させて電気的に接続すると、当該電気的な接続に連続してボイスカード１の認証及び画像音声データ９の送信がされると共に、外部再生機器１５によって自動的に再生される画像音声データ９を視聴することができる。
【００３８】
ＥＥＰＲＯＭ７には画像音声データ９をネットワークからは独立した状態で保存することができる。例えば、イベント主催者が、イベントに出演したアーティストの生の声のデータ（画像音声データ９）をボイスカード１に予め保存しておき、イベント終了時にイベント参加者（ボイスカード１の利用者）に、ボイスカード１を記念品として配布することができる。
【００３９】
上記イベントでの記念品として配布することを例として、以下にボイスカード１を作製して利用するまでの実施形態を説明する。なお、ボイスカード１を作製する方法に係る手段としてＳｔｅｐ１〜Ｓｔｅｐ４、及びボイスカード１内に保存された画像音声データ９を外部再生機器１５に送信して再生するまでの画像音声データ再生システム上で関わる各手段に、Ｓｔｅｐ５〜Ｓｔｅｐ１０として符号を付し、当該符号を図３に示すフローと対応させた。
【００４０】
イベント主催者は、ボイスカード１を作製する際に、図４（ａ）に示すように、ＥＥＰＲＯＭ７に画像音声データ９が保存されていない状態のカード基板２を外部書込み機器１０が備える非接触型接続部１１に近接させることによって、カード基板２に設けられたアンテナコイル８ａと外部書込み機器１０とを電気的に接続させる、カード基板２に電力を供給する（Ｓｔｅｐ１）。供給された電力により、カード基板２より外部書込み機器１０に対し、データ受信可能信号が送信される（Ｓｔｅｐ２）。続いて、データ受信可能信号を受信した外部書込み機器１０内に記録されていたアーティストの画像音声データ９が外部書込み機器１０からカード基板２に送信される（Ｓｔｅｐ３）。チップ部３は、画像音声データ９をＥＥＰＲＯＭ７のデータ格納部７ａに保存することによってボイスカード１が作製される（Ｓｔｅｐ４）。
【００４１】
データ格納部７ａに保存された画像音声データ９は、例えばイベントに出演したアーティストが、イベントの参加者に語りかけるような音声データであることが好ましい。同様の画像音声データ９の保存作業を他のボイスカード１についても繰り返すことにより、画像音声データ９が保存されたボイスカード１を多数作製し、イベント参加者に記念品として配布することができる。
【００４２】
ボイスカード１を受け取った利用者（イベント参加者）は、図４（ｂ）に示すように、ボイスカード１に保存された画像音声データ９を、外部再生機器としてのスマートフォン１５に送信してネットワークを介さずに再生することができる。なお、スマートフォン１５には音声出力用のスピーカー、及び画像出力用ディスプレイが設けられてなり、画像音声データを画像や音声として出力することができる。利用者が、ボイスカード１をスマートフォン１５の接続部１４に近接させると、アンテナコイル８ａと電気的に接続され、ボイスカード１に電力が供給される（Ｓｔｅｐ５）。供給された電力により、ボイスカード１からスマートフォン１５に対し、データ送信可能信号が送信される（Ｓｔｅｐ６）。スマートフォン１５は、受信したデータ送信可能信号をキーとして、データ受信可能信号をボイスカード１に送信すると同時に、アプリケーション２を起動する（Ｓｔｅｐ７）。ボイスカード１は、データ受信可能信号の受信をキーとして、アプリケーションＰ１に基づいてデータ受信可能信号で指定される画像音声データ９がデータ格納部７ａに存在するか否かをチェックする。ここで、画像音声データ９は、拡張子を有するＴＬＶ（Ｔａｇ  Ｌｅｎｇｔｈ  Ｖａｌｕｅ）構造データによって構成されてなり、画像音声データ９の存在の有無は、ＣＰＵ４が、画像音声データ９の拡張子がＥＥＰＲＯＭ７のデータ格納部７ａに存在するか否かをチェックすることにより行われる。ＣＰＵ４が画像音声データ９の拡張子の存在を確認し、認証すると、画像音声データ９を読出して、ＲＡＭ６内の出力バッファに設定する。さらに、ＣＰＵ４は、ＲＡＭ６内の出力バッファに読出し完了ステータスワードを設定し、続いて出力バッファ内の画像音声データ９と読出し完了ステータスワードを外部再生機器１５へ出力する。ボイスカード１は、データ格納部７ａに保存されている画像音声データ９を、スマートフォン１５にネットワークを介さずに送信する（Ｓｔｅｐ８）。スマートフォン１５は、画像音声データ９を受信してデータ格納部１５ｂに格納する（Ｓｔｅｐ９）。アプリケーションＰ２は、データ格納部１５ｂに格納された画像音声データ９の拡張子を識別し、指定された拡張子の場合に画像音声データ９を再生する（Ｓｔｅｐ１０）。
【００４３】
また、ＥＥＰＲＯＭ７内の処理機能格納部７ｂには認証コードＱが記録されており、ボイスカード１がスマートフォン１５に接続された際に、認証コードＱをスマートフォン１５に認証させることでボイスカード１が正式な製造者によって製造されたことを証明し、セキュリティ上問題がないことを保証することができる。なお、認証コードＱもＴＬＶ構造データによって構成されてなり、スマートフォン１５が、画像音声データ９の存在を確認する前に、認証コードＱの存在を認証することが好ましい。また、スマートフォン１５がボイスカード１に対して画像音声データ９の送信を命令すると共にアプリケーションＰ２を起動させることとしてもよい。なお、スマートフォン１５には表示画面１５ａが設けられており、画像音声データ９に画像データが含まれている場合には、ボイスカード１をスマートフォン１５の上にかざすと当該画像データを表示画面１５ａ上に再生して表示させることもできる。
【００４４】
本実施の形態において、ＥＥＰＲＯＭ７の容量は９ＫＢであり、データ格納部７ａの容量は約６ＫＢである。データ格納部７ａには、画像音声データ９としてイベントに出演したアーティストの音声データが約４秒間保存されている。そのため、ボイスカード１からの画像音声データ９の送信は、ボイスカード１をスマートフォン１５にかざせば数秒で完了し、利用者はスマートフォン１５から再生されるアーティストの音声をすぐに聞くことができる。
【００４５】
さらに、カード基板２をＩＳＯ／ＩＥＣ  ７８１０：２００３  ＩＤ−１規格に準じたクレジットカードサイズとすれば、複数枚のボイスカード１を所有した場合にも既存の収納用品を利用できるので、収集と保管が行い易い。そのため、イベントごとに異なる音声データが保存されたボイスカード１を配布すれば、参加者に対するボイスカード１の収集欲を喚起させて、イベントへの参加の動機を高めることができる。
【００４６】
このように、画像音声データ９はボイスカード１内に設けられてなるチップ部３に直接保存されているため、画像音声データ９を再生するためにその都度インターネットなどのネットワークに接続する必要がない。そのため、利用者は画像音声データ９を再生したいと思えば、ボイスカード１をスマートフォン１５にかざせばすぐに再生させることができる。
【００４７】
したがって、複数枚のボイスカード１を収集した利用者は、図５に示すように、Ａのボイスカード１をスマートフォン１５にかざすことによってインターフェース８ａにスマートフォン１５が接続された後、数秒間の間にスマートフォン１５への画像音声データ９の送信が完了してスマートフォンから画像音声データ９が再生される（図５（ａ））。利用者は、画像音声データ９ａを再生させつつ、矢印（ｉ）のようにＡのボイスカード１をスマートフォン１５から引き離し、すぐに矢印（ｉｉ）のようにＢのボイスカード１に持ち替えてスマートフォン１５にかざせば（図５（ｂ））、Ｂのボイスカード１に保存された画像音声データ９ｂも続けて再生して視聴することができる（図５（ｃ））。これによれば、異なる画像音声データ９ａ、９ｂが保存されてなるＡのボイスカード１及びＢのボイスカード１を所有している利用者は、Ａのボイスカード１をスマートフォン１５に接続して画像音声データ９ａを送信させ、送信が完了してから次のＢのボイスカード１に持ち替える前までの一連の動作を、Ａのボイスカード１から手を離さずに行うことができる。
【００４８】
また、図４（ｃ）に示すように、画像音声データ９を保存したボイスカード１をテレビ受像機１６に設けられた接続部１７にかざすことで、画像音声データ９をテレビ受像機１６で再生して視聴することも可能である。この例においては、テレビ受像機１６及び接続部１７が外部再生機器に相当する。なお、テレビ受像機１６には音声出力用のスピーカー、及び画像出力用ディスプレイが設けられてなり、画像音声データを画像や音声として出力することができる。
【００４９】
また、図６のブロック図に示すように、ボイスカード１は接触型のインターフェースを構成する接点端子８ｂを備えたものであってもよい。なお、インターフェースが接点端子８ｂである以外は、アンテナコイル８ａを備えるボイスカード１と同様に、カード基板２と、カード基板２に内蔵されてなるチップ部３、及びチップ部３を備えてなる。チップ部３は、互いに信号の授受可能に電気的な接続がされてなるＣＰＵ４、ＲＯＭ５、ＲＡＭ６、及び書換え可能不揮発性メモリであるＥＥＰＲＯＭ７によって構成されてなる点も同様である。さらに、ＲＯＭ５には、ＯＳが保存されており、ＥＥＰＲＯＭ７内の一部である処理機能格納部７ｂにはアプリケーションＰ１が保存されている。アプリケーションＰ１は、前記ＯＳに基づいて動作し、外部再生機器からの命令に従ってＥＥＰＲＯＭ７のデータ格納部７ａに保存された画像音声データ９を外部再生機器に送信する点も同様である。
【００５０】
ボイスカード１の作製者は、図４（ｄ）に示すように、ＥＥＰＲＯＭ７に画像音声データ９が保存されていない状態のカード基板２を外部書込み機器１８が備える接触型接続部１９のカード挿込スリット２０に挿し込むことによって、あらかじめ外部書込み機器１８内に記録されていた画像音声データ９をボイスカード１に送信してＥＥＰＲＯＭ７のデータ格納部７ａに保存させる。挿入スリット２０内には、挿し込まれたボイスカード１の接点端子８ｂと直接的に接触可能な被接点端子が設けられてなる。
【００５１】
接点端子８ｂが被接点端子と接触し、ボイスカード１と接触型接続部１９とが接続されると、ＲＯＭ５内のＯＳによって動作されるアプリケーションＰ１が、外部書込み機器１８から送られた画像音声データ９を受信し、ＥＥＰＲＯＭ７のデータ格納部７ａに画像音声データ９が保存されたボイスカード１が完成する。
【００５２】
画像音声データ９が保存されたボイスカード１を入手した利用者は、例えば図４（ｅ）に示すようなスリット型のカード差し込み口２１を有する接続部２２を備えた音声再生器２３にボイスカード１を挿し込むことによって、ＥＥＰＲＯＭ７に保存された画像音声データ９の音声再生器２３への送信が即座に完了されて、音声再生器２３から画像音声データ９が自動的に再生されて視聴できるものであってもよい。ここで、音声再生器２３は外部再生機器１５に相当する。音声再生器２３は、例えばスピーカ２４及び表示画面２５を備え、画像音声データ９に基づく音声をスピーカ２４から再生することができ、画像を表示画面２５に表示することができる。
【００５３】
さらに、図７に示すように、ボイスカード１は、カード基板２が、インスタント写真機２６に用いられる印画シートとして用いられるものであっても好ましい。インスタント写真機２６は、レンズ２７を通して写真撮影を行った直後に、撮影した画像２８を印画シートの表面に印刷して写真機本体の排出口２９から排出できる機能を備える。印刷方法としては、カード基板２が樹脂製カードである場合、表面に対して撮影された画像２８を昇華転写処理によって行うことが好ましい。カード基板２が前記印画シートとして用られるものであれば、例えば結婚式の二次会などにおいて、あらかじめチップ部３に新郎新婦からのメッセージを画像音声データ９ｃとして保存しておくことができる。この実施形態によれば、図７（ａ）に示すように、その場で撮影された写真付きのボイスカード１として二次会のゲストに配布することができる。配布された写真付きのボイスカード１は、図７（ｂ）に示すようにスマートフォン１５にかざせば、新郎新婦からのメッセージからなる画像音声データ９ｃをすぐに視聴することができる。
【符号の説明】
【００５４】
１    ボイスカード
２    カード基板
３    チップ部
４    ＣＰＵ
５    ＲＯＭ
７    ＥＥＰＲＯＭ
８ａ  アンテナコイル
９    画像音声データ
１５  スマートフォン
【図１】
2018128623.tif 000003
【図２】
2018128623.tif 000004
【図３】
2018128623.tif 000005
【図４】
2018128623.tif 000006
【図５】
2018128623.tif 000007
【図６】
2018128623.tif 000008
【図７】
2018128623.tif 000009